(57)【要約】【課題】ガス器具の流量値を精度よく積算することが可能なガス器具判別装置を提供する。【解決手段】流路１０１に流れる流体の流量を一定時間間隔で計測する流量計測手段１０２と、計測された流量データを所定個数集め、平均流量を算出する平均流量算出手段１２１と、計測された流量データからガス器具を判別するガス器具判別手段１１０と、算出された平均値と判別された結果から該当器具の流量を算出する器具流量算出手段１２２と、ガス器具が特定のガス器具と判別された場合に、特定のガス器具の流量を積算する器具流量積算手段１２３と、特定のガス器具を使用中か否かを判別するガス器具使用中判別手段１２４を備え、新たにガス器具の流量として登録された際に、特定のガス器具を使用中であると判別され、且つガス器具判別手段１１０による判別結果が所定の結果の場合は、登録する器具流量を特定のガス器具のものとして積算する。【選択図】図１
2019144044.tif 000002
【特許請求の範囲】
【請求項１】
流路に流れる流体の流量を一定時間間隔で計測する流量計測手段と、
前記流量計測手段によって計測された流量データを所定個数集め、平均流量を算出する平均流量算出手段と、
前記流量計測手段によって計測された流量データからガス器具を判別するガス器具判別手段と、
前記平均流量算出手段によって算出された平均流量と前記ガス器具判別手段による判別結果からガス器具の流量を算出する器具流量算出手段と、
前記ガス器具判別手段でガス器具が特定のガス器具と判別された場合に、前記器具流量算出手段によって前記特定のガス器具の流量を積算する器具流量積算手段と、
前記ガス器具判別手段による判別結果から前記特定のガス器具を使用中か否かを判別するガス器具使用中判別手段を備え、
前記器具流量算出手段は、
前記ガス器具判別手段でガス器具の判別が実行された際に、前記ガス器具使用中判別手段より、特定のガス器具を使用中であると判別され、且つ前記ガス器具判別手段による判別結果が所定の結果の場合は、前記特定のガス器具の流量変化と認識し、登録する器具流量を前記特定のガス器具のものとすることを特徴とするガス器具判別装置。
【発明の詳細な説明】
【技術分野】
【０００１】
本発明は、ガスの流量の変化を検出することにより、使用が開始されたガス器具を判別し、判別した器具のガス使用量を積算する技術に関する。
【背景技術】
【０００２】
配管内を流れるガスの流量変化に基づいて、使用が開始されたガス器具が何であるかを特定するガスメータ装置が提案されている。例えば下記の特許文献１は、一定時間間隔でガス流量を計測し、得られた流量パターンを計測毎の差分値として取得し、ガス器具ごとに予め登録されたガス器具の流量パターンに対応した差分値と比較することにより、使用が開始されたガス器具を判別するガスメータ装置を開示している。
【０００３】
また、ガス使用量を積算する方法として、例えば下記の特許文献２には、所定期間の流量値の平均で流量区分を算出し、該当器具の区分をその器具のガス流量とみなし積算するガスメータ装置が開示されている。
【先行技術文献】
【特許文献】
【０００４】
【特許文献１】特開２０１０−１０７２０８号公報
【特許文献２】特開２００６−１３３１５８号公報
【発明の概要】
【発明が解決しようとする課題】
【０００５】
しかしながら、前記従来のガスメータ装置で給湯器、ファンヒータ、コンロ等のガス器具の種類を判別し、特定のガス器具のガス使用量を積算する場合、給湯器のように大きな流量変化が発生するガス器具の場合、大きな流量変化を別のガス器具の立ち上がりと捉えてしまうことで、給湯器のみが稼動しているにもかかわらず、別のガス器具と判別した分のガス使用量が差し引かれて積算してしまうことから、給湯器のガス使用量を正確に積算することは困難であるという課題があった。
【０００６】
このように、前記従来の構成では、ガス器具のガス使用量を精度よく積算することが困難であるという課題を有しており、特にガス器具が１台の場合は、全体流量とガス器具の積算値の乖離が顕著に現れることがあった。
【０００７】
本発明は、前記従来の課題を解決するもので、給湯器のように大きな流量変化が発生するガス器具でも、そのガス器具の使用量を正確に算出することができ、精度よく積算することができるガス器具判別装置を提供することを目的とする。
【課題を解決するための手段】
【０００８】
本明細書にかかる例示的な流量計測装置は、流路に流れる流体の流量を一定時間間隔で計測する流量計測手段と、前記流量計測手段によって計測された流量データを所定個数集め、平均流量を算出する平均流量算出手段と、前記流量計測手段によって計測された流量データからガス器具を判別するガス器具判別手段と、前記平均流量算出手段によって算出された平均流量と前記ガス器具判別手段による判別結果からガス器具の流量を算出する器具流量算出手段と、前記ガス器具判別手段でガス器具が特定のガス器具と判別された場合に、前記器具流量算出手段によって前記特定のガス器具の流量を積算する器具流量積算手段と、前記ガス器具判別手段による判別結果から前記特定のガス器具を使用中か否かを判別するガス器具使用中判別手段を備え、前記器具流量算出手段は、前記ガス器具判別手段
でガス器具の判別が実行された際に、前記ガス器具使用中判別手段より、特定のガス器具を使用中であると判別され、且つ前記ガス器具判別手段による判別結果が所定の結果の場合は、前記特定のガス器具の流量変化と認識し、登録する器具流量を前記特定のガス器具のものとすることを特徴とするものである。
これにより、給湯器のように流量変化の多い器具でも精度よく積算することが可能となる。
【発明の効果】
【０００９】
本発明のガス器具判定装置によれば、給湯器のように別のガス器具の稼動開始と判別されるような大きな流量変化が発生するガス器具を使用した場合でも、当該ガス器具のガス使用量を精度よく積算することが可能となる。
【図面の簡単な説明】
【００１０】
【図１】本発明の実施の形態１によるガスメータ１００の例示的な構成を示すブロック図
【図２】本発明の実施の形態１における処理フローチャート
【図３】（ａ）給湯器使用時の流量変化の一例を示すグラフ、（ｂ）（ａ）図の流量における器具流量算出手段により算出された器具流量の一例を示すグラフ
【図４】本実施の形態１ガスメータのハードウェア構成の一例を示すブロック図
【発明を実施するための形態】
【００１１】
第１の発明は、流路に流れる流体の流量を一定時間間隔で計測する流量計測手段と、前記流量計測手段によって計測された流量データを所定個数集め、平均流量を算出する平均流量算出手段と、前記流量計測手段によって計測された流量データからガス器具を判別するガス器具判別手段と、前記平均流量算出手段によって算出された平均流量と前記ガス器具判別手段による判別結果からガス器具の流量を算出する器具流量算出手段と、前記ガス器具判別手段でガス器具が特定のガス器具と判別された場合に、前記器具流量算出手段によって前記特定のガス器具の流量を積算する器具流量積算手段と、前記ガス器具判別手段による判別結果から前記特定のガス器具を使用中か否かを判別するガス器具使用中判別手段を備え、前記器具流量算出手段は、前記ガス器具判別手段でガス器具の判別が実行された際に、前記ガス器具使用中判別手段より、特定のガス器具を使用中であると判別され、且つ前記ガス器具判別手段による判別結果が所定の結果の場合は、前記特定のガス器具の流量変化と認識し、登録する器具流量を前記特定のガス器具のものとすることを特徴とするもので、これにより大きな流量変化が発生するようなガス器具でもガス使用量を精度よく積算することが可能となる。
【００１２】
以下、添付の図面を参照しながら、本発明にかかるガス器具判別装置の実施形態を説明する。以下に説明する実施の形態では、ガス器具判別装置の例として、ガスメータを挙げ、その処理を説明する。図面において、同じ構成要素には同じ参照符号を付し、既に説明した構成要素については再度の説明を省略する。なお、本発明は、以下で説明する実施の形態によって限定されることはない。
【００１３】
（実施の形態１）
（流量計測装置の例示的な構成）
図１は、本発明の実施の形態１におけるガスメータのブロック図である。
【００１４】
図１において、ガスメータ１００は、流路１０１と、流量計測手段１０２と、ガス器具判別手段１１０と、平均流量算出手段１２１と、器具流量算出手段１２２と、器具流量積算手段１２３と、ガス器具使用中判別手段１２４とを備えたものである。さらにガスメータ１００は、ガス配管１に接続され、ガスメータ１００の下流側には、ガス配管２を介し
てガス器具１０〜１２が接続されている。
【００１５】
流量計測手段１０２としての超音波流量計は、流路１０１に流れる流体としてのガスに対し、一定時間間隔（例えば０．５秒や２秒ごと）で超音波を発射してその流量を計測するものであり、一般的なものを使用することができる。
【００１６】
ガス器具判別手段１１０は、流量計測手段１０２によって取得される流量値に基づき、ガス器具１０〜１２の稼動開始時に得られた流量変化パターンに基づいて、使用開始されたガス器具の種類（給湯器、ファンヒータ、コンロ等）を判別する。なお、ガス器具の使用開始が検知されたものの、ガス器具を判別できない場合は、何らかの器具の使用が開始されたものとし、判別結果として不明器具とする。
【００１７】
平均流量算出手段１２１は、流量計測手段１０２で計測された計測流量値を所定個数集め、平均流量として算出するものである。従って、平均流量は流量計測手段１０２における計測間隔である一定時間間隔×所定個数で計算される時間毎に算出される。
【００１８】
器具流量算出手段１２２は、平均流量算出手段１２１で算出された平均流量の増減分とガス器具判別手段１１０により判別された結果から該当ガス器具の流量（器具流量）を算出するものである。
【００１９】
器具流量積算手段１２３は、器具流量算出手段１２２で算出された器具流量を、ガス器具判別手段１１０で判別されたガス器具の内、特定のガス器具或いは全てのガス器具毎に積算するものである。
ガス器具使用中判別手段１２４は、ガス器具判別手段１１０による判別結果から特定のガス器具を使用中か否かを判別するものである。
【００２０】
以下、ガス器具判別手段１１０、平均流量算出手段１２１、器具流量算出手段１２２、器具流量積算手段１２３、ガス器具使用中判別手段１２４の処理の流れを図２のフローチャートを用いて説明する。
【００２１】
処理Ｓ１０では、ガス器具判別手段１１０によって、ガス器具の使用開始の検知と共に、使用開始が検知された場合はガス器具の判別を行い、ガス器具の判別が行われた場合は、処理Ｓ２０に移行し、新規登録分の器具流量Ｑ１を算出し、処理Ｓ３０に移行する。処理Ｓ１０でガス器具の判別が行われなかった場合は、処理Ｓ５０に移行する。
【００２２】
処理Ｓ３０では、ガス器具判別手段１１０によって判別された結果がガス器具Ａか否かの判別を行う。ガス器具Ａの場合は、処理Ｓ４０に移行し、ガス器具使用中判別手段１２４によってガス器具Ａを使用中とする。ガス器具Ａではない場合は、Ｓ５０に移行する。
【００２３】
処理Ｓ５０では、平均流量算出手段１２１で算出された平均流量とガス器具判別手段１１０の判別結果から器具流量算出手段１２２によって、ガス器具Ａの流量Ｍの算出を行う。
【００２４】
ここで、器具流量算出手段１２２は、ガス器具ごとの流量（器具流量）を算出するもので、平均流量算出手段１２１によって算出された平均流量を記憶し、平均流量に前回値に比べて判定流量以上の流量変化があった場合に、現在設定されている器具流量に対して流量変化量を増減して新たな器具流量として更新する構成としている。
【００２５】
本実施の形態ではガス器具のガス消費に伴う流量変化で器具判別を行う為に、流量計測手段１０２としては瞬時流量が計測可能な超音波流量計を採用しているが、計測されるガ
ス流量はガス器具自体の燃焼制御に伴う流量変動や、外部（メータよりも上流）で発生する圧力変動の影響を受ける為に常に変動している。従って、平均流量算出手段１２１で算出される平均流量も変動しており、この平均流量に応じて器具流量を更新すると処理が煩雑になることから予め定めた判定流量以上の流量変化が発生した場合に器具流量を更新するようにしている。
【００２６】
また、この器具流量はガス器具に応じて定めた継続使用時間を監視する為にも利用されており、流量変化により更新されると継続使用時間計測用のタイマが初期化される構成となっている為、頻繁な更新は好ましくなく、このような条件を設けている。
【００２７】
なお、この判定流量は所定の流量値でも良いが、現在の器具流量の所定比率で求めた流量値でも良い。
【００２８】
処理Ｓ６０では、ガス器具使用中判別手段１２４によりガス器具Ａが使用中か否かの判定を行い、ガス器具Ａが使用中の場合は処理Ｓ７０に移行し、ガス器具判別手段１１０によるガス器具の判別結果が不明器具か否かの判定を行う。不明器具の場合は処理Ｓ８０に移行し、器具流量算出手段１２２により、処理Ｓ２０にて算出した新規登録分の器具流量Ｑ１を、処理Ｓ５０にて算出したガス器具Ａの流量に加算し、器具流量積算手段１２３によってガス器具Ａの流量Ｍを積算する。ガス器具Ａが使用中ではない場合、または、ガス器具Ａが使用中で不明器具ではない場合は、ガス器具Ａの流量は処理Ｓ５０で算出した流量とし、器具流量積算手段１２３によってガス器具Ａの流量Ｍを積算する。なお、処理Ｓ７０の不明器具判定処理は、所定の識別結果とし、任意に変更できる構成でも良い。また、処理Ｓ８０もしくは処理Ｓ８１で算出されたガス器具Ａの流量Ｍが所定値未満となった場合に、ガス器具使用中判別手段１２４のガス器具Ａ使用中情報をクリアする構成でも良い。
【００２９】
次に、図３を用いて、図２に示すフローチャートに基づく動作を説明する。
【００３０】
図３（ａ）は、給湯器（特定のガス器具Ａ）のみが使用されたときの流量変化の一例とガス器具判別手段１１０による器具判別のタイミングを示すグラフであり、図３（ｂ）はその時の平均流量とガス器具の判別結果で得られたガス器具毎の流量値（器具流量）の一例を示すグラフである。
【００３１】
なお、グラフの縦軸は流量［Ｌ／ｈ］、横軸は流量計測手段１０２によって一定時間間隔（本実施の形態では、０．５秒）で計測された流量データに付与した連番である。
【００３２】
図３に示す給湯器（特定のガス器具Ａ）の場合、ガス器具判別手段１１０による使用開始時のガス器具の判別では、給湯器と判別し、平均流量が算出された時点で図３（ｂ）に示すようにその時の平均流量ｑ１が給湯器の器具流量の初期値として登録され、この器具流量が給湯器のガス使用量として器具流量積算手段１２３で積算される。
【００３３】
その後、急激な流量減少Ｃ１が発生して平均流量が新たな平均流量ｑ２に更新されると、この平均流量ｑ２が給湯器の器具流量として登録される。
【００３４】
一方、図３（ａ）に示すように、その後に急激な流量増加Ｃ２、Ｃ３が発生し、ガス器具判別手段１１０による器具判別の結果が不明器具と判別された場合、この時の増加流量は図３（ｂ）に示す不明器具流量として登録され、給湯器の器具流量としては、平均流量ｑ２がそのまま器具流量（給湯器流量）として登録されたままとなる。
【００３５】
従って、給湯器のガス使用量としては平均流量ｑ２が積算されるので不明器具流量分が
少なく積算されてしまう。
【００３６】
しかし、本実施の形態においては、特定のガス器具である給湯器が使用中の場合で、何らかのガス器具の使用開始が判別されたそれが不明器具であった場合は、処理Ｓ８０が実行され、給湯器の流量Ｍに新規登録分の器具流量Ｑ１を加算することで流動変動による誤差が生じることなく、正確な器具流量を得ることができ精度良く積算することが可能となる。特定のガス器具である給湯器が使用中ではない場合、または、何らかのガス器具の使用開始が判別されそれが不明器具ではない場合は、ガス器具Ａの流量値にＱ１は加算されることはない。
【００３７】
以上に説明したように、本発明の実施形態によれば、給湯器のように流量変化の頻度の高いガス器具でもそのガス使用量を正確に把握し、精度よく積算することが可能になることから、特定のガス器具Ａの積算量の誤差が大きくなることを防ぐことができる。
【００３８】
なお、本実施の形態において、特定のガス器具Ａを給湯器として説明したが、流量変化の多い他のガス器具、例えば、燃料電池でも同様にして誤差の少ない積算流量を求めることができることは言うまでも無い。
【００３９】
（ハードウェア構成）
図４は、ガスメータ１００のハードウェア構成の一例を示す。図４に例示する構成において、ガスメータ１００は、中央演算回路（ＣＰＵ）２１０と、メモリ２２０と、流量計２０４とを有している。流量計２０４は、図１に示す流量計測手段１０２の一例であり、公知の流量計、例えば、超音波流量計であり得る。
【００４０】
ＣＰＵ２１０は、メモリ２２０に格納されたコンピュータプログラム２２１を実行する。コンピュータプログラム２２１には、上述した各種の処理が記述されている。ＣＰＵ２１０は、例えば、図１または図２に示すガス器具判別手段１１０、平均流量算出手段１２１、器具流量算出手段１２２、器具流量積算手段１２３、ガス器具使用中判別手段１２４の各種処理を実行する。メモリ２２０は、典型的には、ＲＡＭおよびＲＯＭを含み、例えば、ガス器具数、器具使用中情報に対応する。ガス器具判別手段１１０、平均流量算出手段１２１、器具流量算出手段１２２、器具流量積算手段１２３、ガス器具使用中判別手段１２４が、メモリ２２０をその一部に含んでいても構わない。
【００４１】
ガス器具判別手段１１０、平均流量算出手段１２１、器具流量算出手段１２２、器具流量積算手段１２３、ガス器具使用中判別手段１２４は、単一のプロセッサ（ＣＰＵ２１０）の一部であってもよい。制御手段１３０が、複数のプロセッサの集合によって実現されてもよい。制御手段１３０は、１以上のメモリ、周辺回路などを含んでいてもよい。制御手段１３０の外部に、１以上のメモリが配置されてもよい。例えば、ガス器具判別手段１１０が、制御手段１３０の外部に配置されていてもよい。ＣＰＵ２１０とメモリ２２０を用いて上述した各種処理を実行することにより、精度良く器具を判別することができる。
【００４２】
以上、本発明の実施形態を説明した。上述の実施形態の説明は、本発明の例示であり、本発明を限定するものではない。また、上述の実施形態で説明した各構成要素を適宜組み合わせた実施形態も可能である。本発明は、特許請求の範囲またはその均等の範囲において、改変、置き換え、付加および省略などが可能である。
【産業上の利用可能性】
【００４３】
以上のように、本発明にかかるガス器具判別装置は、流量変化の多い器具の積算量を性格に算出することができることから、工業用流量計や水道メータにおいても同様に、流量計測装置の下流側に接続された使用器具の特定や、そのグルーピングに対しても適用でき
る。
【符号の説明】
【００４４】
１０〜１２  ガス器具
１００  ガスメータ（ガス器具判別装置）
１０１  流路
１０２  流量計測手段
１１０  ガス器具判別手段
１２１  平均流量算出手段
１２２  器具流量算出手段
１２３  器具流量積算手段
１２４  ガス器具使用中判別手段
１３０  制御手段
【図１】
2019144044.tif 000003
【図２】
2019144044.tif 000004
【図３】
2019144044.tif 000005
【図４】
2019144044.tif 000006